(57)【要約】  情報提供装置（１００）は、ユーザの自宅位置に関する情報である自宅位置情報と、ユーザが訪問した地点を示す地点情報とを取得する第１取得部（１０１）と、地点情報を要求する他のユーザから所定の位置に関する位置情報を取得する第２取得部（１０２）と、第２取得部（１０２）により取得された他のユーザの所定の位置の近傍に自宅位置があるユーザが訪問した地点の地点情報を他のユーザに提供する情報提供部（１０３）と、を有する。
2014162612.tif 000002
【特許請求の範囲】
【請求項１】
ユーザの自宅位置に関する情報である自宅位置情報と、当該ユーザが訪問した地点を示す地点情報とを取得する第１取得部と、
地点情報を要求する他のユーザから所定の位置に関する位置情報を取得する第２取得部と、
前記第２取得部により取得された前記他のユーザの前記所定の位置の近傍に自宅位置がある前記ユーザが訪問した地点の地点情報を前記他のユーザに提供する情報提供部と、
を有することを特徴とする情報提供システム。
【請求項２】
前記情報提供部は、前記第１取得部によって取得した複数のユーザ毎に、当該ユーザの自宅位置に関する情報である自宅位置情報と、当該ユーザが訪問した地点を示す地点情報とを関連付けて記録部に記録することを特徴とする請求項１に記載の情報提供システム。
【請求項３】
前記情報提供部は、前記ユーザが訪問した地点の地点情報を統計処理し、訪問した地点のランキング情報を生成することを特徴とする請求項１に記載の情報提供システム。
【請求項４】
前記情報提供部は、複数の前記ユーザが訪問した地点の地点情報を統計処理し、複数の前記ユーザが訪問した地点のランキング情報を生成することを特徴とする請求項１に記載の情報提供システム。
【請求項５】
前記第１取得部は、前記ユーザが自宅から訪問した地点までの経路情報をさらに取得し、
前記情報提供部は、前記ユーザが訪問した地点までの経路情報を前記他のユーザに提供することを特徴とする請求項１に記載の情報提供システム。
【請求項６】
前記情報提供部は、前記第１取得部により、前記ユーザから所定期間の間、所定範囲内の位置情報を取得したときには、当該位置を前記ユーザの自宅位置と判断することを特徴とする請求項１に記載の情報提供システム。
【請求項７】
前記情報提供部は、前記第１取得部により、前記ユーザが前記自宅位置以外において所定期間の間継続して、所定範囲内の位置情報を取得したときには、当該位置を前記ユーザが訪問した地点と判断することを特徴とする請求項１に記載の情報提供システム。
【請求項８】
前記情報提供部は、前記ユーザが訪問した地点を示す地点情報に基づき、当該地点周辺の施設を検索し、検索した施設の情報を前記他のユーザに提供することを特徴とする請求項１に記載の情報提供システム。
【請求項９】
所定の位置の周辺に自宅が位置するユーザが訪問した地点の地点情報を提供するサーバに接続される端末であって、
前記端末は、前記サーバへ前記地点情報の取得要求と、前記所定の位置の情報とを送信する送信部と、
前記サーバから、ユーザが訪問した地点の地点情報を取得する取得部と、
を有することを特徴とする端末。
【請求項１０】
ユーザの自宅位置に関する情報である自宅位置情報と、当該ユーザが訪問した地点を示す地点情報とが関連付けられた情報を格納する記録部と、
所定の位置に関する位置情報を受け付ける受付部と、
前記受付部により受け付けられた前記所定の位置の近傍に自宅位置があるユーザが訪問した地点の地点情報を提供する情報提供部と、
を有することを特徴とする端末。
【請求項１１】
所定の位置の周辺に自宅が位置するユーザが訪問した地点の地点情報を提供するサーバと、前記サーバに接続される前記ユーザの端末と、前記サーバに接続され当該サーバから情報の提供を受ける他のユーザの端末と、を含む情報提供システムにおいて、
前記ユーザの端末は、
前記ユーザの自宅位置に関する情報である自宅位置情報と、当該ユーザが訪問した地点を示す地点情報とを前記サーバに送信し、
前記サーバは、
前記ユーザの自宅位置に関する情報である自宅位置情報と、当該ユーザが訪問した地点を示す地点情報とを取得する第１取得部と、
地点情報を要求する他のユーザから所定の位置に関する位置情報を取得する第２取得部と、
前記第２取得部により取得された前記他のユーザの前記所定の位置の近傍に自宅位置がある前記ユーザが訪問した地点の地点情報を前記他のユーザに提供する情報提供部と、
を有し、
前記他のユーザの端末は、所定の位置に関する位置情報を前記サーバに送出し、
前記サーバから前記所定の位置の近傍に自宅位置がある前記ユーザが訪問した地点の地点情報の提供を受ける、
ことを特徴とする情報提供システム。
【請求項１２】
情報提供装置が実施する情報提供方法において、
ユーザの自宅位置に関する情報である自宅位置情報と、当該ユーザが訪問した地点を示す地点情報とを取得する第１取得工程と、
地点情報を要求する他のユーザから所定の位置に関する位置情報を取得する第２取得工程と、
前記第２取得工程により取得された前記他のユーザの前記所定の位置の近傍に自宅位置がある前記ユーザが訪問した地点の地点情報を前記他のユーザに提供する情報提供工程と、
を含むことを特徴とする情報提供方法。
【請求項１３】
請求項１２に記載の情報提供方法をコンピュータに実行させることを特徴とする情報提供プログラム。
【発明の詳細な説明】
【技術分野】
【０００１】
この発明は、他のユーザが訪問した地点を情報提供する情報提供システム、端末、情報提供方法および情報提供プログラムに関する。ただし、この発明の利用は、情報提供システム、端末、情報提供方法および情報提供プログラムに限らない。
【背景技術】
【０００２】
従来、目的地として設定される頻度が高い施設を、人気施設としてユーザに情報提供するナビゲーションシステムが提案されている（例えば、下記特許文献１参照。）。
【先行技術文献】
【特許文献】
【０００３】
【特許文献１】特開２００８−１４６６９号公報
【発明の概要】
【発明が解決しようとする課題】
【０００４】
上記従来の技術では、単に目的地として設定された頻度に基づき、人気施設を抽出し提供するため、その施設から離れた場所に住んでいるユーザにとっては、提供された施設を訪問する機会が少なく有効な情報とはならない。また、単に人気施設を抽出するだけであるため、例えば、ユーザが住んでいる場所近くの人気施設を抽出することはできない。
【課題を解決するための手段】
【０００５】
上述した課題を解決し、目的を達成するため、請求項１の発明にかかる情報提供システムは、ユーザの自宅位置に関する情報である自宅位置情報と、当該ユーザが訪問した地点を示す地点情報とを取得する第１取得部と、地点情報を要求する他のユーザから所定の位置に関する位置情報を取得する第２取得部と、前記第２取得部により取得された前記他のユーザの前記所定の位置の近傍に自宅位置がある前記ユーザが訪問した地点の地点情報を前記他のユーザに提供する情報提供部と、を有することを特徴とする。【０００６】
また、請求項９の発明にかかる端末は、所定の位置の周辺に自宅が位置するユーザが訪問した地点の地点情報を提供するサーバに接続される端末であって、前記端末は、前記サーバへ前記地点情報の取得要求と、前記所定の位置の情報とを送信する送信部と、前記サーバから、ユーザが訪問した地点の地点情報を取得する取得部と、を有することを特徴とする。【０００７】
また、請求項１０の発明にかかる端末は、ユーザの自宅位置に関する情報である自宅位置情報と、当該ユーザが訪問した地点を示す地点情報とが関連付けられた情報を格納する記録部と、所定の位置に関する位置情報を受け付ける受付部と、前記受付部により受け付けられた前記所定の位置の近傍に自宅位置があるユーザが訪問した地点の地点情報を提供する情報提供部と、を有することを特徴とする。【０００８】
また、請求項１１の発明にかかる情報提供システムは、所定の位置の周辺に自宅が位置するユーザが訪問した地点の地点情報を提供するサーバと、前記サーバに接続される前記ユーザの端末と、前記サーバに接続され当該サーバから情報の提供を受ける他のユーザの端末と、を含む情報提供システムにおいて、前記ユーザの端末は、前記ユーザの自宅位置に関する情報である自宅位置情報と、当該ユーザが訪問した地点を示す地点情報とを前記サーバに送信し、前記サーバは、前記ユーザの自宅位置に関する情報である自宅位置情報と、当該ユーザが訪問した地点を示す地点情報とを取得する第１取得部と、地点情報を要求する他のユーザから所定の位置に関する位置情報を取得する第２取得部と、前記第２取得部により取得された前記他のユーザの前記所定の位置の近傍に自宅位置がある前記ユーザが訪問した地点の地点情報を前記他のユーザに提供する情報提供部と、を有し、前記他のユーザの端末は、所定の位置に関する位置情報を前記サーバに送出し、前記サーバから前記所定の位置の近傍に自宅位置がある前記ユーザが訪問した地点の地点情報の提供を受ける、ことを特徴とする。【０００９】
また、請求項１２の発明にかかる情報提供方法は、情報提供装置が実施する情報提供方法において、ユーザの自宅位置に関する情報である自宅位置情報と、当該ユーザが訪問した地点を示す地点情報とを取得する第１取得工程と、地点情報を要求する他のユーザから所定の位置に関する位置情報を取得する第２取得工程と、前記第２取得工程により取得された前記他のユーザの前記所定の位置の近傍に自宅位置がある前記ユーザが訪問した地点の地点情報を前記他のユーザに提供する情報提供工程と、を含むことを特徴とする。【００１０】
また、請求項１３の発明にかかる情報提供プログラムは、請求項１２に記載の情報提供方法をコンピュータに実行させることを特徴とする。
【図面の簡単な説明】
【００１１】
【図１】図１は、実施の形態にかかる情報提供装置の機能的構成の一例を示すブロック図である。
【図２】図２は、実施の形態にかかる情報提供装置の処理手順の一例を示すフローチャートである。
【図３】図３は、ナビゲーション装置のハードウェア構成の一例を示すブロック図である。
【図４】図４は、情報提供システムの全体構成を示す図である。
【図５】図５は、サーバにおける情報提供処理にかかる処理内容を示す図である。
【図６】図６は、サーバにおける情報提供処理にかかる処理内容を示す図である。
【発明を実施するための形態】
【００１２】
（実施の形態）
以下に添付図面を参照して、この発明にかかる情報提供システム、端末、情報提供方法および情報提供プログラムの好適な実施の形態を詳細に説明する。
【００１３】
図１は、実施の形態にかかる情報提供装置の機能的構成の一例を示すブロック図である。実施の形態では、単一のサーバ（情報提供装置）１００が情報提供の処理を集約して行う。この情報提供装置１００は、第１取得部１０１と、第２取得部１０２と、とを含む。後述するが、図１に機能別に分散された複数のサーバを用いたり、サーバを用いずに単一のクライアント（端末）が図１に示す機能を有する構成としてもよい。
【００１４】
第１取得部１０１は、ユーザの自宅位置に関する情報である自宅位置情報と、このユーザが訪問した地点を示す地点情報とを取得する。自宅位置としては、自宅の建物の位置や自宅内の駐車場の位置、あるいは自宅から離れた駐車場の位置等を含み、ユーザにより任意の位置が設定可能である。また、自宅位置は、座標上の１点（緯度経度）に限らず、所定範囲、例えば、自宅の座標位置を中心に所定半径の円を用いて設定してもよい。第２取得部１０２は、地点情報を要求する他のユーザ（要求ユーザ）からの要求を取得する。要求ユーザは、所定の位置に関する位置情報近傍のユーザが訪問した地点の地点情報の取得を要求する。
【００１５】
第２取得部１０２は、要求ユーザからの要求時に、所定の位置に関する位置情報を取得する。例えば、所定の位置として例えば、要求ユーザの自宅位置の位置情報を取得する。
【００１６】
情報提供部１０３は、自宅位置が第２取得部により取得された他のユーザ（要求ユーザ）の位置の近傍であるユーザが訪問した地点の地点情報（例えば施設）を要求ユーザに提供する。
【００１７】
情報提供部１０３は、第１取得部１０１によって取得した、ユーザ毎にユーザＩＤを付与し、このユーザ毎の自宅位置に関する情報である自宅位置情報と、このユーザが訪問した地点を示す地点情報とを関連付けて記録部（データベース）に記録する。そして、この情報提供部１０３は、ユーザが訪問した地点情報を要求ユーザに提供する。
【００１８】
また、第１取得部１０１は、ユーザが自宅から訪問した地点までの経路情報を取得する機能を有する。これにより、情報提供部１０３は、要求ユーザに対し、地点情報とともに多くのユーザが訪問した地点までの経路情報を提供することができる。
【００１９】
そして、情報提供部１０３は、複数のユーザについて、移動した経路情報の履歴を取得し、各ユーザ毎に自宅と訪問した地点とを算出する。この際、ユーザが訪問した地点の情報を、ユーザから取得できる場合にはこの地点の情報（例えば施設）を取得する。ユーザから地点の情報が取得できない場合には、ユーザが一定時間、この地点を含む所定範囲内に位置している場合には、所定の地点（施設）に滞在していると判定する。そして、この滞在判定時には、情報提供部１０３は、所定範囲内の施設情報を検索することにより、ユーザが訪問した地点に関するより詳細な情報（施設情報）を提供できる。
【００２０】
さらに、情報提供部１０３は、あるユーザについて、訪問した地点の情報を収集することにより、このユーザが訪問した地点（施設）毎のランキングを出力することができる。さらに、複数のユーザについて、訪問した地点の情報を収集することにより、複数ユーザが訪問した地点（施設）毎のランキングを出力することができる。
【００２１】
なお、第１取得部１０１は、個人情報保護のため、ユーザ名を特定せずに、ユーザから情報（自宅位置情報、訪問した地点を示す地点情報）を取得する。同様に、情報提供部１０３においても、第１取得部１０１を介して取得したユーザからの情報を、ユーザが特定できない状態として（例えば、ユーザ名を不特定のユーザＩＤに変更して）、データベースに記録し、外部（他のユーザ）に対してユーザを特定する情報を出力しない。
【００２２】
図２は、実施の形態にかかる情報提供装置の処理手順の一例を示すフローチャートである。情報提供装置１００が実行する情報提供処理について説明する。はじめに、情報提供装置は、第１取得部１０１により、ユーザの自宅位置情報と、このユーザが訪問した地点を示す地点情報とを取得する（ステップＳ２０１）。
【００２３】
つぎに、第２取得部１０２により、要求ユーザからの要求を取得する。この際、要求ユーザは、所定の位置に関する位置情報近傍のユーザが訪問した地点の地点情報の取得を要求する。第２取得部１０２は、要求ユーザから所定の位置（例えば、要求ユーザの自宅位置）に関する位置情報を取得する（ステップＳ２０２）。
【００２４】
そして、情報提供部１０３は、自宅位置が第２取得部により取得された要求ユーザの所定の位置の近傍であるユーザが訪問した地点の地点情報を、要求ユーザに提供する（ステップＳ２０３）。これにより、要求ユーザは、要求ユーザの自宅位置近傍に住んでいるユーザが訪問した地点の地点情報の提供を受けることができる。この際、情報提供部１０３は、ユーザ毎の地点（施設）訪問ランキングを提供することができる。また、複数のユーザが訪問した地点の情報を収集することにより、複数のユーザが訪問した地点（施設）毎のランキングを出力することができる。このランキングを時間別に分類することにより、施設毎の混み具合を推測することもできるようになる。
【００２５】
上記実施の形態によれば、要求ユーザは、近所に住むユーザが訪問した地点の情報を知ることができる。これにより、近所に住むユーザが訪問した地点や施設（スーパーやガソリンスタンド等）の情報を得ることができる。また、訪問した施設のランキングを知ることにより、どのような施設が多く訪問されているかを簡単に知ることができ、例えば、値段が安かったり、サービスがよいために、訪問者が多い施設を簡単に知ることができるようになる。
【００２６】
また、要求ユーザの所定の位置は、自宅に限らず、旅行先であってもよく、この場合、旅行先において、地元の住民がよく行くスーパー等の施設の情報を容易に得ることができるようになる。
【実施例】
【００２７】
以下に、本発明の実施例について説明する。本実施例では、ユーザの車両にナビゲーション装置３００が搭載され、他のユーザ（要求ユーザ）は自宅等のＰＣ等の端末を操作する例を説明する。これらナビゲーション装置と、端末は、サーバに通信接続される。そして、サーバが上記の情報提供装置１００の機能を実行する場合の一例について説明する。【００２８】
（ナビゲーション装置３００のハードウェア構成）
つぎに、ナビゲーション装置３００のハードウェア構成について説明する。図３は、ナビゲーション装置のハードウェア構成の一例を示すブロック図である。図３において、ナビゲーション装置３００は、ＣＰＵ３０１、ＲＯＭ３０２、ＲＡＭ３０３、磁気ディスクドライブ３０４、磁気ディスク３０５、光ディスクドライブ３０６、光ディスク３０７、音声Ｉ／Ｆ（インターフェース）３０８、マイク３０９、スピーカ３１０、入力デバイス３１１、映像Ｉ／Ｆ３１２、ディスプレイ３１３、通信Ｉ／Ｆ３１４、ＧＰＳユニット３１５、各種センサ３１６、カメラ３１７、を備えている。各構成部３０１〜３１７は、バス３２０によってそれぞれ接続されている。【００２９】
ＣＰＵ３０１は、ナビゲーション装置３００の全体の制御を司る。ＲＯＭ３０２は、ブートプログラム、情報提供プログラムを記録している。ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、ナビゲーション装置３００の全体の制御を司る。【００３０】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、例えば、ＨＤ（ハードディスク）やＦＤ（フレキシブルディスク）を用いることができる。【００３１】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどを用いることができる。【００３２】
磁気ディスク３０５および光ディスク３０７に記録される情報の一例としては、地図データ、車両情報、道路情報、走行履歴などが挙げられる。地図データは、カーナビゲーションシステムにおいて経路探索するときに用いられ、建物、河川、地表面、エネルギー補給施設などの地物（フィーチャ）をあらわす背景データ、道路の形状をリンクやノードなどであらわす道路形状データなどを含むベクタデータである。【００３３】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。マイク３０９は、例えば、車両のダッシュボード部などに設置され、その数は単数でも複数でもよい。スピーカ３１０からは、所定の音声信号を音声Ｉ／Ｆ３０８内でＤ／Ａ変換した音声が出力される。【００３４】
入力デバイス３１１は、文字、数値、各種指示などの入力のための複数のキーを備えたリモコン、キーボード、タッチパネルなどが挙げられる。入力デバイス３１１は、リモコン、キーボード、タッチパネルのうちいずれか一つの形態によって実現されてもよいが、複数の形態によって実現することも可能である。【００３５】
映像Ｉ／Ｆ３１２は、ディスプレイ３１３に接続される。映像Ｉ／Ｆ３１２は、具体的には、例えば、ディスプレイ３１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１３を制御する制御ＩＣなどによって構成される。【００３６】
ディスプレイ３１３には、アイコン、カーソル、メニュー、ウインドウ、あるいは文字や画像などの各種データが表示される。ディスプレイ３１３としては、例えば、ＴＦＴ液晶ディスプレイ、有機ＥＬディスプレイなどを用いることができる。【００３７】
カメラ３１７は、車両内部あるいは外部の映像を撮影する。映像は静止画あるいは動画のどちらでもよく、例えば、カメラ３１７によって車両外部を撮影し、撮影した画像をＣＰＵ３０１において画像解析したり、映像Ｉ／Ｆ３１２を介して磁気ディスク３０５や光ディスク３０７などの記録媒体に出力したりする。【００３８】
通信Ｉ／Ｆ３１４は、無線を介してネットワークに接続され、ナビゲーション装置３００およびＣＰＵ３０１のインターフェースとして機能する。ネットワークとして機能する通信網には、ＣＡＮやＬＩＮ（Ｌｏｃａｌ  Ｉｎｔｅｒｃｏｎｎｅｃｔ  Ｎｅｔｗｏｒｋ）などの車内通信網や、公衆回線網や携帯電話網、ＤＳＲＣ（Ｄｅｄｉｃａｔｅｄ  Ｓｈｏｒｔ  Ｒａｎｇｅ  Ｃｏｍｍｕｎｉｃａｔｉｏｎ）、ＬＡＮ、ＷＡＮなどがある。通信Ｉ／Ｆ３１４は、例えば、公衆回線用接続モジュールやＥＴＣ（ノンストップ自動料金支払いシステム）ユニット、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：登録商標）／ビーコンレシーバなどである。【００３９】
ＧＰＳユニット３１５は、ＧＰＳ衛星からの電波を受信し、車両の現在位置を示す情報を出力する。ＧＰＳユニット３１５の出力情報は、後述する各種センサ３１６の出力値とともに、ＣＰＵ３０１による車両の現在位置の算出に際して利用される。現在位置を示す情報は、例えば、緯度・経度、高度などの、地図データ上の１点を特定する情報である。【００４０】
各種センサ３１６は、車速センサ、加速度センサ、角速度センサ、傾斜センサなどの、車両の位置や挙動を判断するための情報を出力する。各種センサ３１６の出力値は、ＣＰＵ３０１による車両の現在位置の算出や、速度や方位の変化量の算出に用いられる。【００４１】
（サーバの構成例）
情報提供のシステムに含まれるサーバ、および端末についても、図３と同様の構成を有する。なお、これらサーバや端末においては、図３に記載のＧＰＳユニット３１５、各種センサ３１６、カメラ３１７等は不要である。【００４２】
図１に示した情報提供装置１００は、サーバに設けられたＲＯＭ３０２、ＲＡＭ３０３、磁気ディスク３０５、光ディスク３０７などに記録されたプログラムやデータを用いて、ＣＰＵ３０１が所定のプログラムを実行することによって情報提供の機能を実現する。【００４３】
また、図１に示した情報提供装置１００の機能をナビゲーション装置３００が有してもよい。この場合、上述したユーザ、または他のユーザ（要求ユーザ）の車両に搭載されたナビゲーション装置３００が情報提供装置１００の機能を実現するため、サーバを不要にすることができる。また、上述した他のユーザ（要求ユーザ）が用いる端末についても、このほかのユーザ（要求ユーザ）の車両に搭載されたナビゲーション装置３００を用いてもよく、この構成例においてもサーバを不要にすることができる。【００４４】
また、ナビゲーション装置３００等の端末を用いた構成の場合、図１に示した第１取得部１０１の構成を省き、代わりに第１取得部１０１が取得する情報、すなわち、ユーザの自宅位置に関する情報である自宅位置情報と、当該ユーザが訪問した地点を示す地点情報とを関連付けた情報をＣＤ−ＲＯＭ等の媒体、あるいは通信によりサーバ等から入手して記録部に格納し、データベースとして用いる構成とすることもできる。【００４５】
（実施例のシステム構成例）
図４は、情報提供システムの全体構成を示す図である。図４の例では、ユーザは、移動自在な車両にナビゲーション装置３００を搭載している。他のユーザ（要求ユーザ）は、自宅のクライアントマシン（端末）４５０を有している。そして、ユーザのナビゲーション装置３００と、他のユーザ（要求ユーザ）の端末４５０は、通信によりサーバ４００に接続される。ナビゲーション装置３００は、リアルタイムで位置情報をサーバ４００に逐次（リアルタイムに）送信し、ユーザ固有のＩＤが割り当てられており、サーバ４００にＩＤを送信する。【００４６】
以下、情報提供装置１００として機能するサーバ４００の内部構成について説明する。サーバ４００は、自宅判断部４０１、到着判断部４０２、到着スポット判断部４０３、ユーザ情報部４０４、ユーザ情報管理部４０５、ユーザ紹介部４０６、を有する。図１に示した第１取得部１０１の機能は、図４の自宅判断部４０１と到着判断部４０２が有している。図１に示した情報提供部１０３の機能は、図４のユーザ情報部４０４〜ユーザ紹介部４０６が有している。また、第１取得部１０１と、第２取得部１０２と、情報提供部１０３の各機能を異なる別のサーバ４００を用いて構成してもよい。【００４７】
自宅判断部４０１は、ユーザのナビゲーション装置３００から送信される位置に基づいて、自宅位置情報を判断し、ユーザ情報部４０４のユーザに該当するＩＤのレコードに自宅位置を登録する。この実施例では、ユーザから自宅位置に関する情報が入力されない例であり、ナビゲーション装置３００から逐次送信される位置情報に基づき、所定期間（例えば、１ヶ月間の位置情報）に基づいて、同一位置の位置情報の回数が多い場所を自宅位置と判断している。このほか、ユーザの自宅位置は、ユーザの住所や郵便番号、電話番号等の入力により、該当する位置情報（例えば緯度経度、あるいはより広域な所定のエリアメッシュ範囲）としてもよい。【００４８】
到着判断部４０２は、ユーザのナビゲーション装置３００からリアルタイムで送られる位置情報に基づき、ユーザが訪問した地点の地点情報（到着位置、時刻、経路（ルート）、到着スポット（施設等））を生成する。例えば、ユーザの車両が自宅等から移動を開始した後の経路を判断し、自宅以外の地点（目的地等）での停車が所定時間以上経過したとき、この地点を、訪問した地点と判断し、この地点の位置を到着位置とする。この到着判断部４０２は、生成した地点情報をユーザ情報部４０４に出力し、ユーザ情報部４０４は、新たな地点情報が生じる毎に、該当するユーザのＩＤに１レコードを新規登録する。到着スポットは、到着スポット判断部４０３から受け取った情報を使用する。【００４９】
到着スポット判断部４０３は、到着判断部４０２から出力されるユーザの到着位置を受け取ると、到着位置に対応する到着スポットを到着判断部４０２に返す。この到着スポット判断部４０３は、地図情報上（緯度経度）における到着位置（緯度経度）近辺の施設等を到着スポットとして抽出する。【００５０】
ユーザ情報管理部４０５は、ユーザの情報をデータベース管理する。複数のユーザの情報はユーザ情報４１０としてデータベース化される。ユーザ情報４１０は、ユーザのＩＤ毎に、自宅判断部４０１により判断されたユーザの自宅位置と、到着判断部４０２により判断されたユーザが訪問した地点の地点情報（到着位置、時刻、経路、到着スポット）とを結合（関連付け）し、このユーザ情報４１０をユーザ毎にユーザ情報管理部４０５（記憶部）に格納する。【００５１】
ユーザ紹介部４０６は、他のユーザ（要求ユーザ）の端末４５０からの要求に基づき、
ユーザ情報管理部４０５に格納されているユーザ情報４１０を参照する。要求ユーザは、所定の位置（例えば要求ユーザの自宅位置）の位置情報を送出する。ユーザ紹介部４０６は、この要求ユーザが指定した所定の位置に対応する自宅位置のユーザが訪問した地点の地点情報（例えば、到着位置、経路、到着スポット（施設））等を、他のユーザ（要求ユーザ）の端末４５０に返答（配信）する。【００５２】
（実施例の情報提供処理例）
つぎに、実施例の情報提供処理例について説明する。図５は、サーバにおける情報提供処理にかかる処理内容を示す図である。図５には、ユーザに関する自宅位置の登録、およびユーザが訪問した地点の地点情報の登録処理を示している。【００５３】
ユーザのナビゲーション装置３００は、位置情報を逐次送信する（ステップＳ５０１，ステップＳ５０２）。以下の説明では、これらの位置情報には、ユーザの自宅位置を示す情報は含まれないものとするが、送出する位置情報が自宅位置であることを送出する場合（ステップＳ５０３）にも対応できる。【００５４】
サーバ４００の自宅判断部４０１は、ユーザのナビゲーション装置３００から送信される位置情報を所定期間（例えば、１ヶ月間の位置情報）蓄積し、同一位置の位置情報の回数が多い場所を自宅位置と判断し、自宅情報を生成する（ステップＳ５０４）。なお、ユーザのナビゲーション装置３００から自宅位置であることを直接示す位置情報が送出された場合（ステップＳ５０３）には、この位置に基づき自宅情報を生成する。【００５５】
自宅判断部４０１が生成した自宅情報は、ユーザ情報部４０４に送信され（ステップＳ５０５）、ユーザ情報部４０４は、該当するユーザのＩＤに自宅位置を登録する。【００５６】
また、到着判断部４０２は、ユーザのナビゲーション装置３００から送信される位置情報により、自宅以外の位置への移動がある毎に、ユーザが訪問した地点の地点情報を生成する処理を行う。例えば、ユーザの車両が自宅等から移動を開始した後の経路を判断し、自宅以外の地点（目的地等）での停車が所定時間以上経過したとき、この地点を、訪問した地点と判断し、この地点の位置を到着位置とする。到着判断部４０２は、この到着位置を到着情報として到着スポット判断部４０３に送信する（ステップＳ５０６）。【００５７】
到着スポット判断部４０３は、ユーザの到着スポットを判断する（ステップＳ５０７）。この際、到着スポット判断部４０３は、地図情報上（緯度経度）における到着位置（緯度経度）近辺の施設等を到着スポットとして抽出し、到着判断部４０２に通知する（ステップＳ５０８）。【００５８】
到着判断部４０２は、ユーザが訪問した地点の地点情報として、到着位置、時刻、経路（ルート）、到着スポット（施設等）をユーザ情報部４０４に送信する（ステップＳ５０９）。ユーザ情報部４０４は、受信したユーザが訪問した地点の地点情報（到着位置、時刻、経路（ルート）、到着スポット（施設等））を該当するユーザのＩＤのレコードとして追加する。これにより、ユーザ情報部４０４は、ユーザのＩＤ毎に、自宅判断部４０１により判断されたユーザの自宅位置と、到着判断部４０２により判断されたユーザが訪問した地点の地点情報（到着位置、時刻、経路、到着スポット）とを結合（関連付け）したユーザ情報４１０を生成する（ステップＳ５１０）。【００５９】
ユーザ情報部４０４は、生成したユーザ情報４１０をユーザ情報管理部４０５（記憶部）に格納する（ステップＳ５１１）。ユーザ情報管理部４０５には、複数のユーザのユーザ情報４１０がＩＤ別に記録される。そして、各ユーザ情報４１０は、それぞれのユーザが訪問した地点の地点情報（到着位置、時刻、経路（ルート）、到着スポット（施設等））を有する。【００６０】
図６は、サーバにおける情報提供処理にかかる処理内容を示す図である。図６には、他のユーザ（要求ユーザ）からの要求により、ユーザが訪問した地点の地点情報を要求ユーザに提示する処理を示している。【００６１】
はじめに、他のユーザ（要求ユーザ）が端末４５０を操作して、所定の位置に関する位置情報を設定する（ステップＳ６０１）。この所定の位置とは、取得を要求するユーザの自宅位置に相当する。例えば、要求ユーザの自宅位置を所定の位置として設定する。そして、端末４５０は、この位置情報をサーバ４００に送信する（ステップＳ６０２）。また、端末４５０は、ユーザ情報の取得をサーバ４００に要求し送信する（ステップＳ６０３）。【００６２】
サーバ４００のユーザ紹介部４０６は、ユーザの端末４５０からの要求に基づき、ユーザから送信された所定の位置に関する位置情報に基づいて、ユーザ情報管理部４０５に記録されている、該当するユーザのユーザ情報４１０を参照する（ステップＳ６０４）。この際、ユーザ紹介部４０６は、ユーザ情報４１０のうち、要求ユーザの自宅位置近傍のユーザを検索し、該当するユーザが訪問した地点の地点情報（到着位置、時刻、経路（ルート）、到着スポット（施設等））をユーザ紹介部４０６に返答する。【００６３】
そして、ユーザ紹介部４０６は、ユーザが訪問した地点の地点情報（到着位置、時刻、経路（ルート）、到着スポット（施設等））を端末４５０に送信し、要求ユーザに提示する（ステップＳ６０５）。【００６４】
これにより、要求ユーザは自宅近傍のユーザが訪問した地点の地点情報として、到着位置、時刻、経路（ルート）、到着スポット（施設等）等の情報を知ることができ、近所に住むユーザの外出訪問地に関する情報を把握できるようになる。例えば、要求ユーザが新たな引っ越し先で地元民がよく訪問する施設を簡単に知ることができる。【００６５】
また、ステップＳ６０４の処理において、要求ユーザの近所に住む複数のユーザに関する外出訪問地の情報を検索することもでき、この場合、要求ユーザは、より多くの情報（複数のユーザの情報）を得ることができ、外出先の決定等に利用できる。この際、多くのユーザが施設の訪問に通った経路を提供することができ、施設の訪問に効率的な経路を提供できるようになる。【００６６】
また、ステップＳ６０１において、要求ユーザが設定する位置は、自宅位置以外、例えば、旅行先であってもよい。要求ユーザは、旅行先において、地元の住民がよく行くスーパー等の施設の情報を容易に得ることができるようになる。例えば、要求ユーザは、端末４５０に限らず、車両のナビゲーション装置３００を用いて、旅行時に旅行先で情報を取得できるようになる。【００６７】
また、上記のユーザが訪問した地点の地点情報について、サーバ４００は、多様な形態で要求ユーザに提示することができる。例えば、サーバ４００のユーザ紹介部４０６は、訪問した地点の地点情報を統計処理する機能を有する。そして、あるユーザが訪問した地点の到着スポット（施設）に関する訪問回数のランキング、到着スポット（施設）のジャンル毎の分類と、ジャンル毎の訪問回数のランキングを生成する。【００６８】
同様に、複数のユーザが訪問した地点（施設）毎のランキングを生成することもできる。また、複数のユーザが訪問した地点までの距離や経路を距離順（昇順または降順）にソートしたランキングを生成する。これら生成した結果を併せて要求ユーザに提供することにより、要求ユーザの要求に対してより多くの情報を提示できるようになる。【００６９】
また、ユーザは、訪問した地点の地点情報をサーバ４００等のシステムに提供するため、システム（サーバ４００側）が所定の契約に基づき情報料を算出し、ユーザに還元する構成としてもよい。一方、要求ユーザは、要求毎に所定の情報料を支払う構成とすることもできる。【００７０】
上記実施の形態では、サーバ４００を設けて、ユーザのナビゲーション装置３００と、他のユーザ（要求ユーザ）の端末４５０とがサーバ４００に接続して情報を送受信する構成とした。これに限らず、独立したサーバ４００を設けない構成としてもよい。この場合、ユーザのナビゲーション装置３００がサーバ４００（ユーザ情報４１０の管理）の機能を有すればよい。要求ユーザは端末４５０あるいはナビゲーション装置３００を用いて、このサーバ機能を有するナビゲーション装置３００にアクセスして、情報を取得できる。【００７１】
また、ある特定のナビゲーション装置３００がサーバの機能を有するに限らず、ユーザおよび要求ユーザのナビゲーション装置３００がそれぞれサーバの機能を有する構成とすれば、自車が他車のユーザのユーザ情報４１０を生成し、自車内で他車のユーザが訪問した地点の地点情報を得ることができるようになる。【００７２】
以上のように、この発明によれば、近所のユーザが訪問した地点の地点情報を取得することができるようになる。これにより、自分が住む近所のユーザが訪問している施設の情報により自分の訪問先の決定に有効利用できるようになる。例えば、自宅近辺の人気施設の情報を得ることができるようになる。【００７３】
また、実施例では、ユーザは、ナビゲーション装置を用いて地点情報を送出する構成について説明したが、他のスマートフォンなどの情報端末を用いて情報提供してもよい。同様に、他のユーザ（要求ユーザ）もスマートフォンなどの情報端末を用いて情報の提供を受ける構成とすることができる。【００７４】
なお、本実施の形態で説明した情報提供方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００７５】
１００  情報提供装置
１０１  第１取得部
１０２  第２取得部
１０３  情報提供部
３００  ナビゲーション装置
４００  サーバ
４０１  自宅判断部
４０２  到着判断部
４０３  到着スポット判断部
４０４  ユーザ情報部
４０５  ユーザ情報管理部
４０６  ユーザ紹介部
４１０  ユーザ情報
４５０  端末
【図１】
2014162612.tif 000003
【図２】
2014162612.tif 000004
【図３】
2014162612.tif 000005
【図４】
2014162612.tif 000006
【図５】
2014162612.tif 000007
【図６】
2014162612.tif 000008
【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
ユーザの自宅位置に関する情報である自宅位置情報と、当該ユーザが訪問した地点を示す地点情報と、前記地点までの経路を示す経路情報と、を取得する第１取得部と、
地点情報を要求する他のユーザから所定の位置に関する位置情報を取得する第２取得部と、
前記第２取得部により取得された前記所定の位置の近傍に自宅位置がある複数の前記ユーザが訪問した地点の地点情報と、前記地点までの経路のうち、前記複数のユーザが通った回数の最も多い経路を示す経路情報と、を前記他のユーザに提供する情報提供部と、
を有することを特徴とする情報提供システム。
【請求項２】
前記情報提供部は、前記第１取得部によって取得した複数のユーザ毎に、当該ユーザの自宅位置に関する情報である自宅位置情報と、当該ユーザが訪問した地点を示す地点情報とを関連付けて記録部に記録することを特徴とする請求項１に記載の情報提供システム。
【請求項３】
前記情報提供部は、前記ユーザが訪問した地点の地点情報を統計処理し、訪問した地点のランキング情報を生成することを特徴とする請求項１に記載の情報提供システム。
【請求項４】
前記情報提供部は、複数の前記ユーザが訪問した地点の地点情報を統計処理し、複数の前記ユーザが訪問した地点のランキング情報を生成することを特徴とする請求項１に記載の情報提供システム。
【請求項５】
前記第１取得部は、前記ユーザが自宅から訪問した地点までの経路情報をさらに取得し、
前記情報提供部は、前記ユーザが訪問した地点までの経路情報を前記他のユーザに提供することを特徴とする請求項１に記載の情報提供システム。
【請求項６】
前記情報提供部は、前記第１取得部により、前記ユーザから所定期間の間、所定範囲内の位置情報を取得したときには、当該位置を前記ユーザの自宅位置と判断することを特徴とする請求項１に記載の情報提供システム。
【請求項７】
前記情報提供部は、前記第１取得部により、前記ユーザが前記自宅位置以外において所定期間の間継続して、所定範囲内の位置情報を取得したときには、当該位置を前記ユーザが訪問した地点と判断することを特徴とする請求項１に記載の情報提供システム。
【請求項８】
前記情報提供部は、前記ユーザが訪問した地点を示す地点情報に基づき、当該地点周辺の施設を検索し、検索した施設の情報を前記他のユーザに提供することを特徴とする請求項１に記載の情報提供システム。
【請求項９】
所定の位置の周辺に自宅が位置するユーザが訪問した地点の地点情報を提供するサーバに接続される端末であって、
前記端末は、前記サーバへ前記地点情報の取得要求と、前記所定の位置の情報とを送信する送信部と、
前記サーバから、ユーザが訪問した地点の地点情報を取得する取得部と、
を有することを特徴とする端末。
【請求項１０】
ユーザの自宅位置に関する情報である自宅位置情報と、当該ユーザが訪問した地点を示す地点情報とが関連付けられた情報を格納する記録部と、
所定の位置に関する位置情報を受け付ける受付部と、
前記受付部により受け付けられた前記所定の位置の近傍に自宅位置があるユーザが訪問した地点の地点情報を提供する情報提供部と、
を有することを特徴とする端末。
【請求項１１】
所定の位置の周辺に自宅が位置するユーザが訪問した地点の地点情報を提供するサーバと、前記サーバに接続される前記ユーザの端末と、前記サーバに接続され当該サーバから情報の提供を受ける他のユーザの端末と、を含む情報提供システムにおいて、
前記ユーザの端末は、
前記ユーザの自宅位置に関する情報である自宅位置情報と、当該ユーザが訪問した地点を示す地点情報とを前記サーバに送信し、
前記サーバは、
前記ユーザの自宅位置に関する情報である自宅位置情報と、当該ユーザが訪問した地点を示す地点情報と、前記地点までの経路を示す経路情報と、を取得する第１取得部と、
地点情報を要求する他のユーザから所定の位置に関する位置情報を取得する第２取得部と、
前記第２取得部により取得された前記所定の位置の近傍に自宅位置がある複数の前記ユーザが訪問した地点の地点情報と、前記地点までの経路のうち、前記複数のユーザが通った回数の最も多い経路を示す経路情報と、を前記他のユーザに提供する情報提供部と、
を有し、
前記他のユーザの端末は、所定の位置に関する位置情報を前記サーバに送出し、
前記サーバから前記所定の位置の近傍に自宅位置がある前記ユーザが訪問した地点の地点情報の提供を受ける、
ことを特徴とする情報提供システム。
【請求項１２】
情報提供装置が実施する情報提供方法において、
ユーザの自宅位置に関する情報である自宅位置情報と、当該ユーザが訪問した地点を示す地点情報と、前記地点までの経路を示す経路情報と、を取得する第１取得工程と、
地点情報を要求する他のユーザから所定の位置に関する位置情報を取得する第２取得工程と、
前記第２取得工程により取得された前記所定の位置の近傍に自宅位置がある複数の前記ユーザが訪問した地点の地点情報と、前記地点までの経路のうち、前記複数のユーザが通った回数の最も多い経路を示す経路情報と、を前記他のユーザに提供する情報提供工程と、
を含むことを特徴とする情報提供方法。
【請求項１３】
請求項１２に記載の情報提供方法をコンピュータに実行させることを特徴とする情報提供プログラム。
【手続補正２】
【補正対象書類名】明細書
【補正対象項目名】０００５
【補正方法】変更
【補正の内容】
【０００５】
上述した課題を解決し、目的を達成するため、請求項１の発明にかかる情報提供システムは、ユーザの自宅位置に関する情報である自宅位置情報と、当該ユーザが訪問した地点を示す地点情報と、前記地点までの経路を示す経路情報と、を取得する第１取得部と、地点情報を要求する他のユーザから所定の位置に関する位置情報を取得する第２取得部と、前記第２取得部により取得された前記所定の位置の近傍に自宅位置がある複数の前記ユーザが訪問した地点の地点情報と、前記地点までの経路のうち、前記複数のユーザが通った回数の最も多い経路を示す経路情報と、を前記他のユーザに提供する情報提供部と、を有することを特徴とする。
【手続補正３】
【補正対象書類名】明細書
【補正対象項目名】０００８
【補正方法】変更
【補正の内容】
【０００８】
また、請求項１１の発明にかかる情報提供システムは、所定の位置の周辺に自宅が位置するユーザが訪問した地点の地点情報を提供するサーバと、前記サーバに接続される前記ユーザの端末と、前記サーバに接続され当該サーバから情報の提供を受ける他のユーザの端末と、を含む情報提供システムにおいて、前記ユーザの端末は、前記ユーザの自宅位置に関する情報である自宅位置情報と、当該ユーザが訪問した地点を示す地点情報とを前記サーバに送信し、前記サーバは、前記ユーザの自宅位置に関する情報である自宅位置情報と、当該ユーザが訪問した地点を示す地点情報と、前記地点までの経路を示す経路情報と、を取得する第１取得部と、地点情報を要求する他のユーザから所定の位置に関する位置情報を取得する第２取得部と、前記第２取得部により取得された前記所定の位置の近傍に自宅位置がある複数の前記ユーザが訪問した地点の地点情報と、前記地点までの経路のうち、前記複数のユーザが通った回数の最も多い経路を示す経路情報と、を前記他のユーザに提供する情報提供部と、を有し、前記他のユーザの端末は、所定の位置に関する位置情報を前記サーバに送出し、前記サーバから前記所定の位置の近傍に自宅位置がある前記ユーザが訪問した地点の地点情報の提供を受ける、ことを特徴とする。
【手続補正４】
【補正対象書類名】明細書
【補正対象項目名】０００９
【補正方法】変更
【補正の内容】
【０００９】
また、請求項１２の発明にかかる情報提供方法は、情報提供装置が実施する情報提供方法において、ユーザの自宅位置に関する情報である自宅位置情報と、当該ユーザが訪問した地点を示す地点情報と、前記地点までの経路を示す経路情報と、を取得する第１取得工程と、地点情報を要求する他のユーザから所定の位置に関する位置情報を取得する第２取得工程と、前記第２取得工程により取得された前記所定の位置の近傍に自宅位置がある複数の前記ユーザが訪問した地点の地点情報と、前記地点までの経路のうち、前記複数のユーザが通った回数の最も多い経路を示す経路情報と、を前記他のユーザに提供する情報提供工程と、を含むことを特徴とする。
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
自宅位置情報、訪問した地点の地点情報、及び前記地点までの経路情報を含む少なくとも１以上のユーザに関するユーザ情報を取得する第１取得部と、
情報を要求する要求ユーザから所定の位置に関する位置情報を取得する第２取得部と、
前記ユーザ情報のうち、前記所定の位置近傍に自宅がある近傍ユーザが訪問した訪問地点情報と、前記訪問地点情報に関連し、前記近傍ユーザが通った回数の最も多い経路情報と、を前記要求ユーザに提供する情報提供部と、
を有することを特徴とする情報提供システム。
【請求項２】
前記情報提供部は、前記第１取得部によって取得した複数のユーザ毎に、当該ユーザの自宅位置に関する情報である自宅位置情報と、当該ユーザが訪問した地点を示す地点情報とを関連付けて記録部に記録することを特徴とする請求項１に記載の情報提供システム。
【請求項３】
前記情報提供部は、前記近傍ユーザが訪問した前記訪問地点情報を統計処理し、訪問した地点のランキング情報を生成することを特徴とする請求項１に記載の情報提供システム。
【請求項４】
前記情報提供部は、複数の前記近傍ユーザが訪問した前記訪問地点情報を統計処理し、複数の前記近傍ユーザが訪問した地点のランキング情報を生成することを特徴とする請求項１に記載の情報提供システム。
【請求項５】
前記第１取得部は、前記自宅位置情報として、前記ユーザが所定期間で同一位置に位置している回数に基づき、当該同一位置を前記ユーザの任意な時期での位置情報と判断することを特徴とする請求項１に記載の情報提供システム。
【請求項６】
前記情報提供部は、前記第１取得部により、前記ユーザから所定期間の間、所定範囲内の位置情報を取得したときには、当該位置を前記ユーザの前記自宅位置情報と判断することを特徴とする請求項１に記載の情報提供システム。
【請求項７】
前記情報提供部は、前記第１取得部により、前記ユーザが前記自宅位置情報の位置以外において所定期間の間継続して、所定範囲内の位置情報を取得したときには、当該位置を前記ユーザが訪問した地点と判断することを特徴とする請求項１に記載の情報提供システム。
【請求項８】
前記情報提供部は、前記ユーザが訪問した地点を示す前記地点情報に基づき、当該地点周辺の施設を検索し、検索した施設の情報を前記要求ユーザに提供することを特徴とする請求項１に記載の情報提供システム。
【請求項９】
所定の位置の周辺に自宅が位置するユーザが訪問した地点の訪問地点情報と、前記訪問地点情報に関連し、前記所定の位置近傍に自宅がある近傍ユーザが通った回数の最も多い経路情報とを提供するサーバに接続される端末であって、
前記端末は、前記サーバへ前記訪問地点情報の取得要求と、前記所定の位置の情報とを送信する送信部と、
前記サーバから、前記訪問地点情報と、前記近傍ユーザが通った回数の最も多い経路情報とを取得する取得部と、
を有することを特徴とする端末。
【請求項１０】
少なくとも１以上のユーザの自宅位置情報、訪問した地点情報、及び前記地点情報までの経路情報、が関連付けられた情報を格納する記録部と、
所定の位置に関する位置情報を受け付ける受付部と、
前記受付部により受け付けられた前記所定の位置の近傍に自宅位置がある近傍ユーザが訪問した地点の地点情報を提供する情報提供部と、
を有することを特徴とする端末。
【請求項１１】
所定の位置の周辺に自宅が位置するユーザが訪問した地点の訪問地点情報と、前記訪問地点情報に関連し、前記所定の位置近傍に自宅がある近傍ユーザが通った回数の最も多い経路情報とを提供するサーバと、前記サーバに接続される前記ユーザおよび前記近傍ユーザの端末と、前記サーバに接続され当該サーバから情報の提供を受ける要求ユーザの端末と、を含む情報提供システムにおいて、
前記ユーザの端末は、
前記ユーザの自宅位置に関する情報である自宅位置情報と、当該ユーザが訪問した地点を示す地点情報とを前記サーバに送信し、
前記サーバは、
自宅位置情報、訪問した地点の地点情報、及び前記地点までの経路情報を含む少なくとも１以上のユーザに関するユーザ情報を取得する第１取得部と、
情報を要求する前記要求ユーザから所定の位置に関する位置情報を取得する第２取得部と、
前記ユーザ情報のうち、前記所定の位置近傍に自宅がある近傍ユーザが訪問した訪問地点情報と、前記訪問地点情報に関連し、前記近傍ユーザが通った回数の最も多い経路情報と、を前記要求ユーザに提供する情報提供部と、
を有し、
前記要求ユーザの端末は、所定の位置に関する位置情報を前記サーバに送出し、
前記サーバから前記所定の位置近傍に自宅位置がある前記近傍ユーザが訪問した地点の地点情報の提供を受ける、
ことを特徴とする情報提供システム。
【請求項１２】
情報提供装置が実施する情報提供方法において、
自宅位置情報、訪問した地点の地点情報、及び前記地点までの経路情報を含む少なくとも１以上のユーザに関するユーザ情報を取得する第１取得工程と、
情報を要求する要求ユーザから所定の位置に関する位置情報を取得する第２取得工程と、
前記ユーザ情報のうち、前記所定の位置近傍に自宅がある近傍ユーザが訪問した訪問地点情報と、前記訪問地点情報に関連し、前記近傍ユーザが通った回数の最も多い経路情報と、を前記要求ユーザに提供する情報提供工程と、
を含むことを特徴とする情報提供方法。
【請求項１３】
請求項１２に記載の情報提供方法をコンピュータに実行させることを特徴とする情報提供プログラム。
【手続補正２】
【補正対象書類名】明細書
【補正対象項目名】０００５
【補正方法】変更
【補正の内容】
【０００５】
上述した課題を解決し、目的を達成するため、請求項１の発明にかかる情報提供システムは、自宅位置情報、訪問した地点の地点情報、及び前記地点までの経路情報を含む少なくとも１以上のユーザに関するユーザ情報を取得する第１取得部と、情報を要求する要求ユーザから所定の位置に関する位置情報を取得する第２取得部と、前記ユーザ情報のうち、前記所定の位置近傍に自宅がある近傍ユーザが訪問した訪問地点情報と、前記訪問地点情報に関連し、前記近傍ユーザが通った回数の最も多い経路情報と、を前記要求ユーザに提供する情報提供部と、を有することを特徴とする。
【手続補正３】
【補正対象書類名】明細書
【補正対象項目名】０００６
【補正方法】変更
【補正の内容】
【０００６】
また、請求項９の発明にかかる端末は、所定の位置の周辺に自宅が位置するユーザが訪問した地点の訪問地点情報と、前記訪問地点情報に関連し、前記所定の位置近傍に自宅がある近傍ユーザが通った回数の最も多い経路情報とを提供するサーバに接続される端末であって、前記端末は、前記サーバへ前記訪問地点情報の取得要求と、前記所定の位置の情報とを送信する送信部と、前記サーバから、前記訪問地点情報と、前記近傍ユーザが通った回数の最も多い経路情報とを取得する取得部と、を有することを特徴とする。
【手続補正４】
【補正対象書類名】明細書
【補正対象項目名】０００７
【補正方法】変更
【補正の内容】
【０００７】
また、請求項１０の発明にかかる端末は、少なくとも１以上のユーザの自宅位置情報、訪問した地点情報、及び前記地点情報までの経路情報、が関連付けられた情報を格納する記録部と、所定の位置に関する位置情報を受け付ける受付部と、前記受付部により受け付けられた前記所定の位置の近傍に自宅位置がある近傍ユーザが訪問した地点の地点情報を提供する情報提供部と、を有することを特徴とする。
【手続補正５】
【補正対象書類名】明細書
【補正対象項目名】０００８
【補正方法】変更
【補正の内容】
【０００８】
また、請求項１１の発明にかかる情報提供システムは、所定の位置の周辺に自宅が位置するユーザが訪問した地点の訪問地点情報と、前記訪問地点情報に関連し、前記所定の位置近傍に自宅がある近傍ユーザが通った回数の最も多い経路情報とを提供するサーバと、前記サーバに接続される前記ユーザおよび前記近傍ユーザの端末と、前記サーバに接続され当該サーバから情報の提供を受ける要求ユーザの端末と、を含む情報提供システムにおいて、前記ユーザの端末は、前記ユーザの自宅位置に関する情報である自宅位置情報と、当該ユーザが訪問した地点を示す地点情報とを前記サーバに送信し、前記サーバは、自宅位置情報、訪問した地点の地点情報、及び前記地点までの経路情報を含む少なくとも１以上のユーザに関するユーザ情報を取得する第１取得部と、情報を要求する前記要求ユーザから所定の位置に関する位置情報を取得する第２取得部と、前記ユーザ情報のうち、前記所定の位置近傍に自宅がある近傍ユーザが訪問した訪問地点情報と、前記訪問地点情報に関連し、前記近傍ユーザが通った回数の最も多い経路情報と、を前記要求ユーザに提供する情報提供部と、を有し、前記要求ユーザの端末は、所定の位置に関する位置情報を前記サーバに送出し、前記サーバから前記所定の位置近傍に自宅位置がある前記近傍ユーザが訪問した地点の地点情報の提供を受ける、ことを特徴とする。
【手続補正６】
【補正対象書類名】明細書
【補正対象項目名】０００９
【補正方法】変更
【補正の内容】
【０００９】
また、請求項１２の発明にかかる情報提供方法は、情報提供装置が実施する情報提供方法において、自宅位置情報、訪問した地点の地点情報、及び前記地点までの経路情報を含む少なくとも１以上のユーザに関するユーザ情報を取得する第１取得工程と、情報を要求する要求ユーザから所定の位置に関する位置情報を取得する第２取得工程と、前記ユーザ情報のうち、前記所定の位置近傍に自宅がある近傍ユーザが訪問した訪問地点情報と、前記訪問地点情報に関連し、前記近傍ユーザが通った回数の最も多い経路情報と、を前記要求ユーザに提供する情報提供工程と、を含むことを特徴とする。
【国際調査報告】
2014162612.tif 000009
2014162612.tif 000010
2014162612.tif 000011
2014162612.tif 000012
2014162612.tif 000013
2014162612.tif 000014
2014162612.tif 000015